(57)【特許請求の範囲】
【請求項１】
左右の縦枠材及び上下の横枠材によって構成された開口枠と、この開口枠の開口を閉塞する少なくとも２枚の戸と、戸の後方において上下の横枠材に左右動自在に設けられた鏡面を前方に向けたスライド鏡とを有しており、前記戸の少なくとも１枚が前側に水平揺動開閉自在に設けられた開き戸であり、この開き戸の後面に鏡が取り付けられている収納庫用の戸装置。
【請求項２】
左右の縦枠材及び上下の横枠材によって構成された開口枠と、この開口枠の開口を閉塞する少なくとも２枚の戸と、戸の後方において上下の横枠材に左右動自在に設けられた鏡面を前方に向けたスライド鏡とを有しており、前記戸の内、相互に隣接する一対の戸が観音開き戸を構成しており、この観音開き戸を構成する開き戸の後面に鏡が取り付けられ、この観音開き戸を構成する開き戸の一方が、上下の横枠材に左右動自在に設けられたスライド縦枠材に、前側に水平揺動開閉自在に設けられている収納庫用の戸装置。
【発明の詳細な説明】
【０００１】
【発明の属する技術分野】
本発明は収納庫用の戸装置に関する。
【０００２】
【従来の技術】
従来、この種の収納庫用の戸装置として以下の如きものは知られている。即ち、左右の縦枠材及び上下の横枠材によって構成された開口枠と、この開口枠の開口を閉塞する少なくとも２枚の折れ戸と、折れ戸の後方において上下の横枠材に左右動自在に設けられた鏡面を前方に向けたスライド鏡とを有しており、各折れ戸が蝶番によって相互に連結された一対の折れ戸構成板によって構成されており、蝶番によって連結されていない相互に隣接する折れ戸構成板（各折れ戸の、他方の折れ戸側の折れ戸構成板）の前面に鏡が鏡面を前方に向けるようにして取り付けられているものは知られている（特許第２５６１６５９号公報参照）
従来の収納庫用の戸装置は、２枚の折れ戸構成板に取り付けられた鏡とスライド鏡とを三面鏡のようにして、１枚の鏡では見にくい身体の後部を容易に見ることが出来る利点を有するものである。
【０００３】
【従来技術の欠点】
前記従来の収納庫用の戸装置には以下の如き欠点があった。即ち、折れ戸構成板（各折れ戸の、他方の折れ戸側の折れ戸構成板）の前面に取り付けられた鏡及びスライド鏡が、常時、即ち、鏡を必要としない時でも、前方から見えるものであったため、人によっては落ち着いた気分になれないという欠点があった。
【０００４】
【前記欠点を解消するための手段】
本発明は前記欠点を解消するために以下の如き手段を採用した。
請求項１の発明は、左右の縦枠材及び上下の横枠材によって構成された開口枠と、この開口枠の開口を閉塞する少なくとも２枚の戸と、戸の後方において上下の横枠材に左右動自在に設けられた鏡面を前方に向けたスライド鏡とを有しており、前記戸の少なくとも１枚が前側に水平揺動開閉自在に設けられた開き戸であり、この開き戸の後面に鏡が取り付けられているものである。
請求項２の発明は、左右の縦枠材及び上下の横枠材によって構成された開口枠と、この開口枠の開口を閉塞する少なくとも２枚の戸と、戸の後方において上下の横枠材に左右動自在に設けられた鏡面を前方に向けたスライド鏡とを有しており、前記戸の内、相互に隣接する一対の戸が観音開き戸を構成しており、この観音開き戸を構成する開き戸の後面に鏡が取り付けられ、この観音開き戸を構成する開き戸の一方が、上下の横枠材に左右動自在に設けられたスライド縦枠材に、前側に水平揺動開閉自在に設けられているものである。
【０００５】
【発明の効果】
本発明は前記した如き構成によって以下の如き効果を奏する。
▲１▼請求項１の発明によれば、戸を閉じた状態では、全ての鏡が部屋から見えないようにすることが出来、他方、開き戸を開いた状態でその開き戸に近接する位置にスライド鏡を位置させることによって、開き戸の後面に取り付けられた鏡とスライド鏡とを利用して、１枚の鏡では見にくい身体の後部を容易に見ることが出来る。
▲２▼請求項２の発明によれば、戸を閉じた状態では、全ての鏡が部屋から見えないようにすることが出来、他方、開き戸を開くと共に、スライド縦枠材に設けられていない方の開き戸の基部（枢着部）に近接する位置にスライド鏡を位置させ、更にスライド縦枠材をスライド鏡の縁部に移動させて、２枚の開き戸の後面に取り付けられた鏡とスライド鏡とを三面鏡のようにして、１枚の鏡では見にくい身体の後部を容易に見ることが出来る。
【０００６】
【発明の実施の形態】
以下に本発明の実施の形態を図面を参照しつつ説明する。
なお、この説明において、前とは図１紙面表側を、後とは同裏側をいい、左とは図１左側を、右とは同図右側をいう。
【０００７】
部屋に造り付けられた収納庫本体２の前面の開口３の縁部に収納庫用の戸装置４が取り付けられている。
前記収納庫用の戸装置４は、左右の縦枠材７及び上下の横枠材８によって構成された開口枠６と、この開口枠６の開口１０を閉塞する少なくとも２枚、具体的には４枚の開き戸１１Ａ、１１Ｂ、１１Ｃ、１１Ｄ（請求の範囲でいう戸）と、開き戸１１Ａ〜１１Ｄの後方において上下の横枠材８に左右動自在に設けられた鏡面Ｍを前方に向けたスライド鏡１４とを有している。
前記スライド鏡１４は、補強板１５と、この補強板１５の前面に取り付けられた鏡１６とを有している。前記補強板１５は、上下の横枠材８に長手方向を左右方向に向けるようにして形成された案内溝１８に左右動自在に嵌められている。
このような構成によって、スライド鏡１４は左右動するようになされている。
前記鏡１６は、高さがＬ（図３参照）で、幅がＷ（図１参照）である。
【０００８】
前記開き戸１１Ａは、左側の縦枠材７に公知の蝶番（図示略）を介して前側に水平揺動開閉自在に設けられている。
前記開き戸１１Ｂは、上下の横枠材８に左右動自在に設けられたスライド縦枠材２０に、公知の蝶番（図示略）を介して前側に水平揺動開閉自在に設けられている。
前記スライド縦枠材２０は、本体２１と、この本体２１の下端部に形成された下方に開放した凹所２２に上下動自在に嵌められた上下動片２３と、この上下動片２３を下向きに付勢するばね２４とを有している。そして、スライド縦枠材２０の上端部は、上の横枠材８に長手方向を左右方向に向けるようにして形成された案内溝２６に左右動自在に嵌められ、スライド縦枠材２０の下端部である上下動片２３は、下の横枠材８に長手方向を左右方向に向けるようにして形成された案内溝２６に左右動自在に嵌められている。なお、上下動片２３はばね２４の力で強く下の案内溝２６の底面に当接し、スライド縦枠材２０を左又は右に動かす方向に設定値以上の力を加えない限り、スライド縦枠材２０をその停止位置で停止させるロック機能を有している。なお、別の公知のロック機構を設けるようにしてもよいことは云うまでもない。
前記開き戸１１Ｃは、スライド縦枠材２０に公知の蝶番（図示略）を介して前側に水平揺動開閉自在に設けられている。
前記開き戸１１Ｄは、右側の縦枠材７に公知の蝶番（図示略）を介して前側に水平揺動開閉自在に設けられている。
図２において符号Ｐは、開き戸１１Ａ〜１１Ｄの揺動中心を示す。また、開き戸１１Ａ〜１１Ｄの自由端部には公知の把手（図示略）が設けられている。
【０００９】
前記開き戸１１Ａと開き戸１１Ｂとによって観音開き戸が構成されている。
これら観音開き戸を構成する開き戸１１Ａ及び開き戸１１Ｂの後面に鏡２７が鏡面Ｍを開き戸１１Ａ、１１Ｂと逆側に向けるようにして取り付けられている。
前記鏡２７は、鏡１６と同一又はほぼ同一の大きさとなされていが、そうでなくてもよい。
【００１０】
【発明の実施の形態の使用方法】
次に発明の実施の形態の使用方法を説明する。
全ての開き戸１１Ａ〜１１Ｄを閉じた状態では、全ての鏡１６、鏡２７が部屋から見えないようにすることが出来る。
開き戸１１Ａを所定角度（例えば、１２０度前後）に開いた状態で、その開き戸１１Ａに近接する位置にスライド鏡１４を位置させることによって、開き戸１１Ａの後面に取り付けられた鏡２７とスライド鏡１４とを利用して、１枚の鏡では見にくい身体の後部を容易に見ることが出来る。
上記の状態において、開き戸１１Ｂを所定角度（例えば、１２０度前後）に開き且つスライド縦枠材２０をスライド鏡１４の右縁部に移動させることにより、２枚の開き戸１１Ａ、１１Ｂの後面に取り付けられた鏡２７とスライド鏡１４とを開かれた三面鏡のようにして、１枚の鏡では見にくい身体の後部を更に容易に見ることが出来る。
収納庫本体２内に物品を収納したり、収納庫本体２内から物品を取り出す際において、スライド鏡１４が邪魔となればスライド鏡１４を別の位置にスライド移動させればよい。
【００１１】
【変形例等】
以下に変形例等について説明を加える。
（１）収納庫本体２は、部屋に造り付けのものでなく、部屋に載置される収納家具の本体であってもよい。
（２）開き戸１１Ｃ、開き戸１１Ｄは、ない場合もある。
（３）開き戸１１Ｃ、開き戸１１Ｄの後面に鏡２７を取り付けてもよい。
（４）請求項１の発明においては、開き戸１１Ａ〜１１Ｄの少なくとも１つに鏡２７を設ければよい。
（５）請求項１の発明においては、４枚の開き戸１１Ａ〜１１Ｄの内、少なくとも１枚を開き戸のままとし、他の残りを開き戸以外の戸、例えば折れ戸としてもよい。なお、少なくとも１枚の開き戸の後面には鏡２７が設けられる。
（６）請求項１の発明においては、スライド鏡１４は、鏡２７が後面に取り付けられた開き戸とその隣の戸（左右に戸が有る場合は一方の戸）との間で左右動すればよい。
（７）スライド縦枠材２０は、観音開き戸を構成する一対の開き戸を閉じた状態の位置から、スライド縦枠材２０に設けられていない開き戸に向かって所定距離移動出来ればよい。
（８）鏡２７の大きさは、開き戸の後面に取り付けられる大きさであれば任意である。
（９）鏡１６の大きさは任意である。
【図面の簡単な説明】
【図１】本発明の実施の形態を示す中間省略の一部破砕正面図である。
【図２】図１のＩＩ−ＩＩ線断面図である。
【図３】図１のＩＩＩ−ＩＩＩ線断面図である。
【符号の説明】
４  収納庫用の戸装置
６  開口枠
７  縦枠材
８  横枠材
１０  開口
１１Ａ  開き戸
１１Ｂ  開き戸
１１Ｃ  開き戸
１１Ｄ  開き戸
１４  スライド鏡
１５  補強板
１６  鏡
２７  鏡
Ｍ  鏡面
【図１】
0004002000.tif 000002
【図２】
0004002000.tif 000003
【図３】
0004002000.tif 000004